(57)【特許請求の範囲】
【請求項１】
予め設定された時間帯に転送モードを動作させる場合、転送モードの動作状況を示す表示部と、転送モードを動作させるキーと、動作中は前記表示部を第１の表示形態で表示させ、設定時間帯内に前記キーを押すと、前記第１の表示形態をオフし、設定時間帯外で前記キーを押すと、前記表示部を第２の表示形態で表示させる表示制御部とを備えたことを特徴とする通信端末装置。
【請求項２】
前記キーは、ワンタッチキーであることを特徴とする請求項１記載の通信端末装置。
【発明の詳細な説明】
【０００１】
【発明の属する技術分野】
この発明は、転送機能を有する通信端末装置に関する。
【０００２】
【従来の技術】
従来、ファクシミリ装置等の通信端末装置においては、予め時間帯を設定しておき、その時間帯にファックスや電話があると、それらの画像や通話を他の装置に転送する機能（ＦＡＸワープ、ＶＯＩＣＥワープ）を有する。更に加えて、ワンタッチキーを操作することにより、即、転送モードをＯＮし、あるいは操作により転送をＯＦＦすることができるものがある。
【０００３】
【発明が解決しようとする課題】
上記した従来の通信端末装置において、予め時間帯を設定してある場合は、自動的に転送できるというメリットがあるし、ワンタッチキーによる転送設定は、即時にＯＮ／ＯＦＦできるというメリットがある。しかしながら、これらの時間帯指定の転送とワンタッチ操作による転送を併用すると、現時点では、そのいずれが優先か判断することができないという問題がある。
【０００４】
この発明は上記問題点に着目してなされたものであって、モード動作キーが操作されると、その時点が設定時間帯内であるか否かが、一目でわかる操作装置及び通信端末装置を提供することを目的としている。
【０００５】
【課題を解決するための手段】
この発明の通信端末装置は、予め設定された時間帯に転送モードを動作させる場合、転送モードの動作状況を示す表示部と、転送モードを動作させるキーと、動作中は前記表示部を第１の表示形態で表示させ、設定時間帯内に前記キーを押すと、前記第１の表示形態をオフし、設定時間帯外で前記キーを押すと、前記表示部を第２の表示形態で表示させる表示制御部とを備えている。
【０００６】
この通信端末装置では、転送モードの動作中は表示部を第１の表示形態（例えば、点灯）で表示する。そして、設定時間帯内でモード動作キーが押されると、前記第１の表示形態をオフする。また、設定時間帯外でモード動作キーが押されると、前記表示部を第２の表示形態（例えば、点滅）で表示する。この第１の表示形態、表示オフ、第２の表示形態を見て、動作モードの状態を目視で確認できる。
【０００７】
この通信端末装置において、前記動作キーは、例えばワンタッチキーである。
【０００８】
【発明の実施の形態】
以下、実施の形態により、この発明をさらに詳細に説明する。図１は、この発明の一実施形態であるファクシミリ装置の構成を示すブロック図である。このファクシミリ装置１５は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０と、ＬＡＮインターフェース１１とを備えている。
【０００９】
ＮＣＵ１は、電話回線１３との接続を制御するとともに、相手先の電話番号（対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。また、モデム２は、ナンバーディスプレイ情報を受信するためにＶ２３の復調機能も備えている。画像メモリ３は、受信画像データや読み取り部９で読み取った原稿画像データを一時的に記憶する。ＲＡＭ４は、転送時間帯の登録、キーフラグ、タイムフラグ、転送ＯＮ／ＯＦＦを記憶するための記憶領域が割り当てられている。ＲＯＭ５は、ファクシミリ装置全体を制御するためのプログラムを記憶する。
【００１０】
主制御部６は、ＣＰＵで構成され、ＲＯＭ５に記憶されたプログラムに従い、ファクシミリ装置を構成する各部を制御する。表示部７は、ファクシミリ装置の動作状態等の各種情報を表示する。操作部８は、テンキー、スタートキー、その他のキーで構成される。他に、特にＬＥＤを含み、自照のワンタッチキーも備えている。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。ＬＡＮインターフェース１１は、ＬＡＮネットワーク１４を介して外部のパソコン等に接続される。
【００１１】
次に、この実施形態ファクシミリ装置における転送モード処理時の動作を図２に示すフロー図を参照して説明する。
【００１２】
先ず、ステップＳＴ１において、この処理登録ルーチンに入ると、ステップＳＴ２へ移行する。ステップＳＴ２においては、タイムフラグ（Ｔｉｍｅ  Ｆｌａｇ）を０とし、同様にステップＳＴ３においては、キーフラグ（Ｋｅｙ  Ｆｌａｇ）を０とし、フラグ等の初期化を行う。ここでタイムフラグは、後述するように、現時点が設定時間内であるときに、立てられる（「１」とされる）フラグである。またキーフラグは、自然キーが押下され、かつ設定時間の登録有の場合に立てられる（「１」とされる）フラグである。次に、ステップＳＴ４へ移行する。
【００１３】
ステップＳＴ４においては、ワンタッチの自照キーが押下されたか否かを判定する。ここでは、ワンタッチの自照キーが転送ＯＮ／ＯＦＦを設定するために設けられている。自照キーが押下された場合は、ステップＳＴ５へ移行する。一方、自照キーが押下されていない場合は、ステップＳＴ８へ移行する。ステップＳＴ５においては、登録（時間帯の）有りか否かを判定する。登録なしの場合は、ステップＳＴ１２へ移行する。一方、登録有りの場合は、ステップＳＴ６へ移行する。ステップＳＴ１２においては、Ｎａｃｋブザーを鳴動する。そして、ステップＳＴ３へ戻る。
【００１４】
ステップＳＴ６においては、キーフラグを１とする。次に、ステップＳＴ７へ移行する。ステップＳＴ７においては、タイムフラグ＝１か否か判定する。タイムフラグ１の場合は、ステップＳＴ１３へ移行する。一方、タイムフラグ＝１でない場合は、ステップＳＴ８へ移行する。ステップＳＴ８においては、設定時間内か否かを判定する。設定時間内の場合には、ステップＳＴ９へ移行する。一方、設定時間内でない場合は、ステップＳＴ１６へ移行する。
【００１５】
ステップＳＴ１６においては、現時点が設定時間以外であるので、転送ＯＮか否か判定する。最初は転送ＯＦＦなので、ステップＳＴ１７へ移行する。一方、転送ＯＮの場合は、ステップＳＴ２０へ移行する。ステップＳＴ１７においては、キーフラグ＝１か否かを判定する。キーフラグ＝１の場合は、ここでは設定時間内でない場合なので、ステップＳＴ１８へ移行する。一方、キーフラグ＝１でない場合は、ステップＳＴ３へ戻る。ステップＳＴ１８においては、タイムフラグを１とする。次に、ステップＳＴ１９へ移行する。ステップＳＴ１９においては、ＬＥＤを点滅にする。そして、ステップＳＴ３へ戻る。
【００１６】
ステップＳＴ９においては、タイムフラグを１とする。そして、ステップＳＴ１０へ移行する。ステップＳＴ１０においては、ＬＥＤを点灯する。次に、ステップＳＴ１１へ移行する。ステップＳＴ１１においては、処理レディ（Ｒｅａｄｙ）とし、転送ＯＮとし、ステップＳＴ３へ戻る。
【００１７】
ステップＳＴ１３においては、タイムフラグを０とする。次に、ステップＳＴ１４へ移行する。ステップＳＴ１４においては、それまではＬＥＤが点灯中、あるいは点滅中なので、ＬＥＤを消灯する。続いて、ステップＳＴ１５へ移行する。ステップＳＴ１５においては、処理ノットレディ（Ｎｏｔ  Ｒｅａｄｙ）とし、転送ＯＦＦとして、ステップＳＴ３へ戻る。
【００１８】
ＬＥＤが点灯中に、設定時間外となると、ステップＳＴ８の判定ＮＯ、ステップＳＴ１６の判定ＹＥＳなので、続いて、ステップＳＴ２０へ移行する。そし、ステップＳＴ２０において、処理Ｎｏｔ  Ｒｅａｄｙとし、転送ＯＦＦする。次、ステップＳＴ１９へ移行し、ＬＥＤ点滅とし、ステップＳＴ３へ戻る。
【００１９】
【発明の効果】
この発明によれば、転送モードの設定時間帯となると、表示部に第１の表示形態で表示させ、設定時間帯内の第１の表示形態で表示中に転送モードを動作させるキーを押すと、第１の表示形態をオフし、設定時間帯外で前記キーを押すと、前記表示部に第２の表示形態で表示するので、キーの操作により、その表示形態が第１の表示形態のオフか第２の表示形態の別からモード設定時間帯内か否かを知ることができる。
【図面の簡単な説明】
【図１】この発明が実施されるファクシミリ装置の構成を示すブロック図である。
【図２】同実施形態ファクシミリ装置の処理動作を説明するためのフロー図である。
【符号の説明】
１          ＮＣＵ
２          モデム
３          画像メモリ
４          ＲＡＭ
５          ＲＯＭ
６          主制御部
７          表示部
８          操作部
９          読み取り部
１０        記録部
１１        ＬＡＮインターフェース
１２        バス
１３        電話回線
【図１】
0003627235.tif 000002
【図２】
0003627235.tif 000003